(57)【要約】【課題】機種替え等において遊技用パチンコ機の取付けや取外しの邪魔にならないようにした新規なアウト玉受け装置（アウトセット）取付構造を提供すること。【解決手段】設置する遊技用パチンコ機背後の島台をくり貫き、該くり貫き箇所に埋め込み型にしたアウト玉受け装置（アウトセット）を島台とフラットに組み込んで取り付ける。これにより、アウト玉受け装置自体が島台上に嵩張ることなく、機種替え時の邪魔にならないようにした。【選択図】  図１
2004222844.tif 000002
【特許請求の範囲】
【請求項１】
設置する遊技用パチンコ機背後の島台をくり貫き、該くり貫き箇所にアウト玉受け装置と島台とをフラットに組み込むことを特徴とする遊技用パチンコ機のアウト玉受け装置取付構造。
【請求項２】
前記くり貫きは、前記島台の縁部を切り欠いた開口であることを特徴とする請求項１に記載の遊技用パチンコ機のアウト玉受け装置取付構造。
【請求項３】
前記くり貫きは、遊技用パチンコ機の幅と少なくとも略同一の幅を有する開口であることを特徴とする請求項１ないし請求項２に記載の遊技用パチンコ機のアウト玉受け装置取付構造。
【請求項４】
前記アウト玉受け装置は、前記くり貫き箇所に組み込むための取付フランジを有することを特徴とする請求項１ないし請求項３に記載の遊技用パチンコ機のアウト玉受け装置取付構造。
【請求項５】
前記アウト玉受け装置は、アウト玉受皿と計数機とを有することを特徴とする請求項１及び請求項４に記載の遊技用パチンコ機のアウト玉受け装置取付構造。
【発明の詳細な説明】
【０００１】
【発明の属する利用分野】
この発明は、パチンコ遊技場の島内に複数台の遊技用パチンコ機を設置する遊技用パチンコ機の設置構造において、この遊技用パチンコ機の背後に配置されるパチンコ機用のアウト玉受け装置取付構造の改良に関するものである。
【０００２】
【従来の技術】
従来より、パチンコ遊技場における遊技用パチンコ機の設置は、周知のように多数の遊技用パチンコ機を隣接すると共にこれを背中合わせの態様に並べて配設してなる島と呼ばれる幾つかの遊技用パチンコ機群を配置したものから成っている。このような遊技用パチンコ機を各島に据付ける際は、まず、各遊技用パチンコ機を隣接して島台（膳板と兼用されることもある）の上に設置固定した後、各遊技用パチンコ機の背後に、遊技用パチンコ機のアウト穴から排出されるパチンコ玉を受けるアウト玉受け装置（アウトセットと通称される）を用意し、一台ずつ前記遊技用パチンコ機のアウト穴の位置と整合性を図りつつ該アウト玉受け装置を位置決めして、しかる後、アウト玉受け装置を島台上に取り付けて固定するようにした遊技用パチンコ機の設置構造及びアウト玉受け装置の取付構造が一般的である。このような遊技用パチンコ機のアウト玉受け装置の取付構造において、遊技用パチンコ機が設置される島台上に、アウト玉受け装置（アウト球タンク装置）を取付ねじにより取付け固定する際、島台上に固定された矩形板状のベースを介して該アウト玉受け装置（アウト球タンク装置）を取付け、該ベース上においてアウト玉受け装置の取付位置を前後又は左右にスライド調整可能として固定するように構成したものがある（例えば、特許文献１参照）。
【０００３】
【特許文献１】
特開平１０−２７７２２７号公報（第３−４頁、第１−８図）
【０００４】
【発明が解決しようとする課題】
この従来のアウト玉受け装置の取付構造においては、アウト玉受け装置自体が島台の上に所要の嵩高さを以って取付固定される構造であるので、パチンコ遊技場における遊技用パチンコ機を機種替え等のため旧機種を取り外したり、新機種を取り付ける際、このアウト玉受け装置を島台上に固定したままでは、遊技用パチンコ機が当たって損傷しないように該アウト玉受け装置を避けながら作業をしなければならず、その存在自体が邪魔となるなどの支障となって自由な機種替え作業ができないものであった。このような支障のない自由な機種替え作業を行なおうとすれば、このアウト玉受け装置も、その都度、島台から取り外したり、新機種の遊技用パチンコ機のアウト穴に位置合わせして固定しなければならない問題があり、また、このような機種替えはパチンコ遊技場においては頻度が高いため、機種替えの度に煩わしいアウト玉受け装置の取外しや取付のための作業と手間が掛かるという問題があった。
【０００５】
本発明は、上記した従来の問題が、嵩高なアウト玉受け装置自体を島台の上に取付固定するようにした構造であることから発生している問題であることに着目してなされたものであり、本発明の解決しようとする課題は、アウト玉受け装置が島台に設置されたままであっても、アウト玉受け装置自体が島台上に嵩張ることなく、機種替え等において遊技用パチンコ機の取付けや取外しの邪魔にならないようにした新規なアウト玉受け装置取付構造を提供することを目的とするものである。
【０００６】
【課題を解決するための手段】
本発明は上記の課題を解決する為になされたものであり、その解決の為に講じた本発明の手段と、その作用は次のとおりである。
【０００７】
請求項１では、設置する遊技用パチンコ機背後の島台をくり貫き、該くり貫き箇所にアウト玉受け装置と島台とをフラットに組み込む遊技用パチンコ機のアウト玉受け装置取付構造を提案する。
【０００８】
（作用）  該構成により、アウト玉受け装置が島台に設置されたままであっても、島台のくり貫き箇所にアウト玉受け装置を島台に対してフラットに組み込むようにしたので、アウト玉受け装置自体が島台上に嵩張ることなく、機種替え等において遊技用パチンコ機の取付けや取外しの邪魔にならないようにした新規なアウト玉受け装置取付構造を提供することができる。
【０００９】
請求項２では、請求項１の遊技用パチンコ機のアウト玉受け装置取付構造において、前記くり貫きは、前記島台の縁部を切り欠いた開口である遊技用パチンコ機のアウト玉受け装置取付構造を提案する。
【００１０】
（作用）  該構成により、アウト玉受け装置が島台に設置されたままであっても、島台のくり貫き箇所にアウト玉受け装置を島台に対してフラットに組み込むようにしたので、アウト玉受け装置自体が島台上に嵩張ることなく、機種替え等において遊技用パチンコ機の取付けや取外しの邪魔にならないようにすることができると共に、前記くり貫きは島台縁部を切り欠いた開口としたから、くり貫きの成形加工が簡単かつ容易になし得る新規なアウト玉受け装置取付構造を提供することができる。
【００１１】
請求項３では、請求項１ないし請求項２の遊技用パチンコ機のアウト玉受け装置取付構造において、前記くり貫きは、遊技用パチンコ機の幅と少なくとも略同一の幅を有する開口である遊技用パチンコ機のアウト玉受け装置取付構造を提案する。
【００１２】
（作用）  該構成により、アウト玉受け装置が島台に設置されたままであっても、島台のくり貫き箇所にアウト玉受け装置を島台に対してフラットに組み込むようにしたので、アウト玉受け装置自体が島台上に嵩張ることなく、機種替え等において遊技用パチンコ機の取付けや取外しの邪魔にならないようにすることができると共に、前記くり貫きは遊技用パチンコ機の幅と少なくとも略同一の幅を有する開口としたから、機種替えによって、異なるメーカーの機械を入れたり、交換後の遊技用パチンコ機の新しいアウト穴の位置が交換前のアウト穴の位置とずれた機種に交換された場合においても、前記広幅のアウト玉受け装置により、遊技用パチンコ機から排出される遊技用パチンコ機のアウト玉に対するアウト玉受け装置の取付位置を何ら修正したり、調整したりすることなく機種替えの交換作業を効率よく行なうことができる新規なアウト玉受け装置取付構造を提供することができる。
【００１３】
請求項４では、請求項１ないし請求項３の遊技用パチンコ機のアウト玉受け装置取付構造において、前記アウト玉受け装置は、前記くり貫き箇所に組み込むための取付フランジを有する遊技用パチンコ機のアウト玉受け装置取付構造を提案する。
【００１４】
（作用）  該構成により、アウト玉受け装置が島台に設置されたままであっても、島台のくり貫き箇所にアウト玉受け装置を島台に対してフラットに組み込むようにしたので、アウト玉受け装置自体が島台上に嵩張ることなく、機種替え等において遊技用パチンコ機の取付けや取外しの邪魔にならないようにすることができると共に、アウト玉受け装置は、前記くり貫き箇所に組み込むための取付フランジを有するから、くり貫き箇所へのアウト玉受け装置の取付を取付ねじにより簡単に行なうことができる作業性のよい新規なアウト玉受け装置取付構造を提供することができる。
【００１５】
請求項５では、請求項１及び請求項４の遊技用パチンコ機のアウト玉受け装置取付構造において、前記アウト玉受け装置は、アウト玉受皿と計数機とを有する遊技用パチンコ機のアウト玉受け装置取付構造を提案する。
【００１６】
（作用）  該構成により、アウト玉受け装置が島台に設置されたままであっても、島台のくり貫き箇所にアウト玉受け装置を島台に対してフラットに組み込むようにしたので、アウト玉受け装置自体が島台上に嵩張ることなく、機種替え等において遊技用パチンコ機の取付けや取外しの邪魔にならないようにすることができると共に、アウト玉受け装置は、アウト玉受皿と計数機とを有するから、該アウト玉受皿のアウト玉受取面積を可及的大面積とする一方、アウト玉受け装置全体は小型に形成することができ、しかも遊技用パチンコ機から排出されるアウト玉のこぼれを大幅に抑制することができるので、精度の高いアウト玉の計数を行ない得る新規なアウト玉受け装置取付構造を提供することができる。
【００１７】
（用語の定義）  本発明において、「島台」とは、遊技用パチンコ機を設置する島の台をいうものであり、所謂膳板を兼用するものを含むものであることを意味する。また、「フラット」とは、島台に対して、アウト玉受け装置の上面が遊技用パチンコ機の入替作業での取外しや取付に支障とならない程度の範囲とした高さを含むことを意味するものである。
【００１８】
【本発明の実施の形態】
以下、各図を参照しながら、本発明の実施の形態（以下、適宜「本実施形態」という）について説明する。図１は、遊技用パチンコ機３を設置する島１の背面図である。図２は、島１の概略を示す右半部の断面図である。図３は、島１の一部を上側からみた平面概略図である。図４及び図５は、アウト玉受け装置１０の平面図及び側面図である。
【００１９】
（本実施形態による島の概略構成）
図１は、遊技用パチンコ機３を設置する島１の背面図であって、島台２の上に載置された遊技用パチンコ機３，３・・の背面にアウト玉受け装置（アウトセット）１０が配設されている状態を図示している。このアウト玉受け装置１０は、各遊技用パチンコ機３の背面に設けられたアウト穴３ａから排出されるアウト玉を受けるためのもので、アウト玉受皿１１とアウト玉を計数する計数機１３とを備えている。
【００２０】
図２は、遊技用パチンコ機３を設置する島１の概略を示す右半部の断面図であって、遊技用パチンコ機３を載置する島台２には、各遊技用パチンコ機３，３・・の載置箇所に対応する各遊技用パチンコ機３，３・・の背後部分にアウト玉受皿１１を備えるアウト玉受け装置１０が該島台２に形成されたくり貫き２０内に取付けられている。該くり貫き２０は、本実施態様では、島台２に形成された取付開口２０ａにより形成されており、該取付開口２０ａの穴の中にアウト玉受け装置１０が埋設されるような態様で取付けられている。
【００２１】
前記アウト玉受け装置１０は、前記アウト玉受皿１１の上端縁に形成された取付フランジ１４（図４参照）が取付開口２０ａの左右両縁に不図示の取付ねじにより取付固定されている。なお、この島台２に形成したアウト玉受け装置１０を取付けるためのくり貫き２０は、前記取付開口２０ａに限らず、該取付開口２０ａの内側縁部が切断されたような切欠開口（不図示）としたものでもよい。
【００２２】
島１の両側に配置された島台２の背面間には、アウト玉を回収する集合樋２１が設けられており、各遊技用パチンコ機３，３・・から排出されるアウト玉は、遊技用パチンコ機３背面のアウト穴３ａから排出され、この排出されたアウト玉を一旦前記アウト玉受皿１１で受けて計数機１３により計数した後、該アウト玉受け装置１０から排出されて集合樋２１を流下し、不図示のアウト玉貯留タンクへ集められるようになっている。
【００２３】
（アウト玉受け装置の取付構造）
図３は、島１の一部を上側からみた平面概略図であり、島台２の上に載置された遊技用パチンコ機３と、その背面側に配設されるアウト玉受け装置１０を示している。アウト玉受け装置１０のアウト玉受皿１１は、遊技用パチンコ機３背面から排出されるアウト玉を受けることができるように、遊技用パチンコ機３背面とオーバーラップしてその下方に配設されている。このため、島台２には、アウト玉受け装置１０を埋め込み型のように取付けるための略矩形状のくり貫き２０が集合樋２１側に形成されている。該くり貫き２０及びアウト玉受け装置１０の幅は、図示の実施形態では遊技用パチンコ機３の幅よりも幾分幅狭に形成されているが、これに限定されることなく、遊技用パチンコ機３の幅と同じ程度の広幅に形成したものでもよい。このように、くり貫き２０の幅をパチンコ機３の幅と略同一の幅に形成することにより、機種替えによって、異なるメーカーの機械を入れたり、交換後の遊技用パチンコ機の新しいアウト穴の位置が交換前のアウト穴の位置とずれた機種に交換された場合においても、前記広幅のアウト玉受け装置により、遊技用パチンコ機から排出されるパチンコのアウト玉に対するアウト玉受け装置の取付位置を何ら修正したり、調整したりすることなく機種替えの交換作業を効率よく行なうことができる。なお、アウト玉受け装置１０の下流側のアウト玉排出口に配置されるアウトジャバラ１５（図５参照）は、アウト玉が集合樋２１上に落下するようにされた位置に設けられているものである。
【００２４】
（アウト玉受け装置の構造）
図４及び図５に示すようにアウト玉受け装置１０は、遊技用パチンコ機３から排出されたアウト玉Ｐを受けるためのアウト玉受皿１１と、このアウト玉受皿１１に隣接して設けられた整列傾斜通路１２と、この整列傾斜通路１２によって整列させられたアウト玉Ｐを計数するための計数機１３と、装置本体を島台２に固定するための取付フランジ１４，１４とを備えている。さらに、計数機１３の下方には、アウトジャバラ１５が接続されていて、アウト玉Ｐの落下をガイドするように設けられている。
【００２５】
図４に示すようにアウト玉受皿１１は、上から見たときに略長方形の底部１１ａを有しており、この底部１１ａの外周に沿って周壁１１ｂを起立させてある。この周壁１１ｂには、隣接する整列傾斜通路１２と連通する切欠き１２ｂを形成してある。底部１１ａは、図４において上から下に向かってこれを傾斜させてあり、これにより、アウト玉受皿１１内のアウト玉Ｐが切欠き１２ｂから整列傾斜通路１２内に流れ込むようにしてある。また、略長方形のアウト玉受皿１１の短辺に対応する前記周壁１１ｂの上縁には、水平方向に延長する取付フランジ１４，１４が設けられている。なお、前記周壁１１ｂの上縁は、図５に示すように前記取付フランジ１４，１４と面一な同一平面を形成するように設けられているものであるが、図示の形状に限定されることなく、例えば、該取付フランジ１４，１４よりも周壁１１ｂの上縁が幾分高く上方に突出するように形成されてもよいものである。前者のように周壁１１ｂの上縁が前記取付フランジ１４，１４と面一な同一平面に形成する場合は、アウト玉受皿１１から外に飛び跳ねたアウト玉Ｐが、島台２上を転がりながら再び該アウト玉受皿１１へ入り込み易くなるので好ましい。また、後者のように周壁１１ｂの上縁を取付フランジ１４，１４よりも幾分高く形成する場合は、アウト玉Ｐがアウト玉受皿１１の外へ飛び跳ね難くすることができるという有利な点をもつが、遊技用パチンコ機３の入替作業での取外しや取付に支障とならない範囲の高さに形成するよう注意する必要がある。また、前記アウト玉受皿１１の底部１１ａについては、アウト穴３ａから排出されるアウト玉が該底部１１ａで弾まないように、該底部１１ａに緩衝部材を備えるようにしてもよい。
【００２６】
本実施形態における前記周壁１１ｂの切欠き１２ｂの幅寸法は、２個以上のアウト玉Ｐが同時通過しないように、パチンコ玉の直径寸法より僅かに大きく設定してある。このように設定したのは、整列傾斜通路１２内に流れ込ませるときに１個づつ通過させてアウト玉Ｐが整列しやすいようにするものであるが、整列に支障がないのであれば２個以上を通過させるように構成してもよい。２個以上のパチンコ玉を通過させる場合は、整列をより円滑に行わせるために、整列を補助する手段等を設けることが好ましい。
【００２７】
アウト玉受け装置１０において、下流に配置される整列傾斜通路１２は、図４に示すように、アウト玉受皿１１と隣接すると共に、切欠き１２ｂを通過したパチンコのアウト玉Ｐが一列になって通過できる幅寸法に設定してある。
【００２８】
図５に示すように計数機１３は、アウト玉受け装置１０の下流に位置する先端下部に配置してあり、整列落下してくるアウト玉Ｐを、金属の接近による内蔵コイルのインピーダンスの変化を読みとる方式の近接センサ等により計数するようになっている。計数機１３を通過したアウト玉Ｐは、スパイラル状の落下シュートを構成するアウトジャバラ１５を介して集合樋（２１）へ排出されることになる。なお、取付フランジ１４は、アウト玉受け装置１０の装置本体を島台２のくり貫き２０の縁部に取付ねじにより固定するためのものであり、これにより、アウト玉受け装置１０の装置全体がこのくり貫き２０の中に埋め込まれるような態様で取り付けられるものであり、該アウト玉受け装置１０の装置表面が島台２に対してフラットな面となるものである。
【００２９】
なお、上記の装置表面が島台２に対してフラットな面とは、前記取付フランジ１４，１４の厚みや、前記周壁１１ｂの上縁が遊技用パチンコ機３の入替作業での取外しや取付に支障とならない範囲の高さとした程度のものを含む意味に理解されるべきである。
【００３０】
図５に示すようにアウトジャバラ１５は、アウト玉Ｐが螺旋に沿って旋回しながら落下するように構成してある。この旋回は、アウト玉Ｐが持つ位置エネルギーの一部を旋回運動エネルギーに変換することにより落下速度を減速させ、集合樋（２１）上へ落下する際の衝撃を少なくするためのものである。
【００３１】
本実施形態では、図５に示すようにアウト玉受け装置１０の下流側の計数機１３の下端にアウトジャバラ１５が宙吊り状態で接続されているものである。このアウトジャバラ１５は、金属線コイルか、又は合成樹脂製コイルで形成したもの、あるいはフレキシブルホース等で形成するなど、弾性材料で形成するものである。
【００３２】
（本実施形態のアウト玉受け装置の作用）
図１ないし図４を参照しながら、本実施の形態のアウト玉受け装置について、機種替え作業時の作用との関連において説明する。先ず、遊技用パチンコ機３から排出されたパチンコのアウト玉（排出玉）Ｐは、アウト玉受皿１１で受け止められる。この場合、本実施形態のアウト玉受皿１１は、遊技用パチンコ機３の幅と同程度の広幅に形成されるものであるので、機種替えによって、異なるメーカーの機械を入れたり、交換後の遊技用パチンコ機の新しいアウト穴の位置が交換前のアウト穴の位置とずれた機種に交換された場合においても、前記広幅のアウト玉受皿１１により、排出されるパチンコのアウト玉は何ら取付位置の修正を要することなく、確実にアウト玉受皿１１内に受け止められるものである。かくして、アウト玉Ｐは、アウト玉受皿１１で受け止められた後、底部１１ａの傾斜により切欠き１２ｂ方向へ流れ、そこを通過して整列傾斜通路１２へ流れ込む。流れ込んだアウト玉Ｐは、整列傾斜通路１２内で一列に整列されながら下流方向に転動して計数機１３へ流入する。この計数機１３を通過したアウト玉Ｐは、スパイラル状の落下シュートを構成するアウトジャバラ１５を経て集合樋２１へ排出されることになる。このアウトジャバラ１５から集合樋２１へのアウト玉Ｐの落下距離は、アウト玉受け装置１０を島台２の下方に埋め込み型に取付ける分だけ、その落下距離も短くすることができるので、アウト玉Ｐの落下衝撃による集合樋２１に対する損傷や騒音を低減することができるものである。
【００３３】
さらに、遊技用パチンコ機３，３・・の機種替え時においては、図示のように島台２のくり貫き２０にアウト玉受皿１１の取付フランジ１４，１４を取付ねじにより簡単に取付固定するので、アウト玉受け装置１０が島台２の上面に突出しておらず、このため機種替え時の遊技用パチンコ機３，３・・の取外しや取付の邪魔となったりすることがなく、当該機種替え作業に先だって、一旦このアウト玉受け装置１０を島台２から取外し、その後再び位置調整しながら取付けたりするような面倒で手間が掛かる作業も必要としないものである。したがって、パチンコ遊技場での遊技用パチンコ機の機種替え時の作業性と効率性を格段に高めることができるものである。
【００３４】
（本実施形態の変形例）
本実施形態の変形例として、図示したような本実施形態のアウト玉受け装置１０の構造に加えて、前記アウト玉受皿１１の前記周壁１１ｂ又は前記取付フランジ１４の上縁に不図示のガイド枠を設けてスライド可能な蓋を組込み、アウト玉受皿１１の上部全面を被覆可能な構造とすれば、機種替え時の遊技用パチンコ機３，３・・の入替作業の際、前記蓋の組込みにより、ゴミや異物等の混入を防ぐことができるものである。
【００３５】
【発明の効果】
本発明は、次の効果を奏するものである。
１．本発明は、アウト玉受け装置が島台に設置されたままであっても、島台のくり貫き箇所にアウト玉受け装置を島台に対してフラットに組み込む遊技用パチンコ機のアウト玉受け装置取付構造とした構成により、アウト玉受け装置自体が島台上に嵩張ることなく、機種替え等において遊技用パチンコ機の取付けや取外しの邪魔にならないようにした新規なアウト玉受け装置取付構造を提供することができるものである。
【図面の簡単な説明】
【図１】遊技用パチンコ機を設置する島の背面図である。
【図２】島の概略を示す右半部の断面図である。
【図３】島の一部を上側からみた平面概略図である。
【図４】アウト玉受け装置の平面図である。
【図５】アウト玉受け装置の側面図である。
【符号の説明】
１    島
２    島台
３    遊技用パチンコ機
１０    アウト玉受け装置
１１    アウト玉受皿
１３    計数機
１４    取付フランジ
１５    アウトジャバラ
２０    くり貫き
２０ａ  取付開口
２１    集合樋
Ｐ    アウト玉（排出玉）
【図１】
2004222844.tif 000003
【図２】
2004222844.tif 000004
【図３】
2004222844.tif 000005
【図４】
2004222844.tif 000006
【図５】
2004222844.tif 000007